(57)【要約】【課題】既存の絵画や写真などの画像を容易に立体化することができる立体画像の作製方法およびその立体画像を提供することである。【解決手段】立体化する画像を印刷した第一のシートを台板上に貼り付ける第一の工程と、前記第一の工程で貼り付けた前記第一のシート上の所望位置に粘土を貼って盛り付ける第二の工程と、前記第二の工程で前記粘土を盛り付けた第一のシートの上に、立体化する画像を印刷した第二のシートを、該第二のシートの画像と該第一のシートの画像とを合わせて貼り付ける第三の工程と、前記第三の工程で貼り付けた前記第二のシートの上から押下して立体形状を整える第四の工程とを有することを特徴とする。【選択図】図１３
2013226768.tif 000002
【特許請求の範囲】
【請求項１】
立体化する画像を印刷した第一のシートを台板上に貼り付ける第一の工程と、
前記第一の工程で貼り付けた前記第一のシート上の所望位置に粘土を貼って盛り付ける第二の工程と、
前記第二の工程で前記粘土を盛り付けた第一のシートの上に、立体化する画像を印刷した第二のシートを、該第二のシートの画像と該第一のシートの画像とを合わせて貼り付ける第三の工程と、
前記第三の工程で貼り付けた前記第二のシートの上から押下して立体形状を整える第四の工程と
を有することを特徴とする立体画像の作製方法。
【請求項２】
請求項１に記載の立体画像の作製方法において、
前記第一の工程での前記第一のシートの貼り付け、前記第二の工程での前記粘土の貼り、および前記第三の工程での前記第二のシートの貼り付けは、接着剤にて貼ることを特徴とする立体画像の作製方法。
【請求項３】
請求項１または２に記載の立体画像の作製方法において、
前記第四の工程での前記第二のシートの上からの押下は、該第二のシートの上に透明シートを被せて該透明シートの上から押下することを特徴とする立体画像の作製方法。
【請求項４】
請求項１ないし３のうちのいずれか１項に記載の立体画像の作製方法において、
前記粘土が経時により硬化するものであることを特徴とする立体画像の作製方法。
【請求項５】
立体化する画像を印刷した第一のシートを台板上に貼り付け、
該貼り付けた前記第一のシート上の所望位置に粘土を貼って盛り付け、
該粘土を盛り付けた第一のシートの上に、立体化する画像を印刷した第二のシートを、該第二のシートの画像と該第一のシートの画像とを合わせて貼り付け、
該貼り付けた第二のシートの上から押下して立体形状を整えて成る
ことを特徴とする立体画像。
【請求項６】
請求項５に記載の立体画像において、
前記台板と前記第一のシート、前記第一のシートと前記粘土、および前記第一のシートまたは前記粘土と前記第二のシートとを、接着剤にて貼って成ることを特徴とする立体画像。
【請求項７】
請求項５または６に記載の立体画像において、
前記粘土が経時により硬化するものであることを特徴とする立体画像。
【発明の詳細な説明】
【技術分野】
【０００１】
本発明は、立体画像の作製方法およびその立体画像に関し、詳しくは、絵画や写真などの画像を立体化した立体画像の作製方法およびその立体画像に関する。
【背景技術】
【０００２】
従来、絵画や写真などは、額縁などに入れて壁掛けするなど手軽に飾ることができるが、立体感を持たせることによって、より魅力的にすることができる。
【０００３】
特許文献１に記載の発明では、木板や粘土板で所望形状の段を作り、その表面にアクリル・ゴムを流してそのアクリル・ゴムを型とし、この型に対して石膏を流し込み、石膏が固まったならば型から外して、その石膏に絵具を塗ることによって立体絵画を作製する技術を開示している。
【先行技術文献】
【特許文献】
【０００４】
【特許文献１】特開２００１−１６３０００号公報
【発明の概要】
【発明が解決しようとする課題】
【０００５】
しかしながら、特許文献１に記載の発明では、新たに絵画を作製するものであるので作製者に豊かな想像性を要求し、誰でも容易に作製できるものではないという問題があった。
【０００６】
本発明は、上記課題に鑑みてなされたものであり、既存の絵画や写真などの画像を容易に立体化することができる立体画像の作製方法およびその立体画像を提供することを目的とする。
【課題を解決するための手段】
【０００７】
上記課題を解決するために、本発明は、立体化する画像を印刷した第一のシートを台板上に貼り付ける第一の工程と、前記第一の工程で貼り付けた前記第一のシート上の所望位置に粘土を貼って盛り付ける第二の工程と、前記第二の工程で前記粘土を盛り付けた第一のシートの上に、立体化する画像を印刷した第二のシートを、該第二のシートの画像と該第一のシートの画像とを合わせて貼り付ける第三の工程と、前記第三の工程で貼り付けた前記第二のシートの上から押下して立体形状を整える第四の工程とを有することを特徴とする。
【発明の効果】
【０００８】
本発明によれば、既存の絵画や写真などの画像を容易に立体化することができる立体画像の作製方法およびその立体画像を提供することができる。
【図面の簡単な説明】
【０００９】
【図１】本発明の一実施の形態による立体画像の作製工程を示す図である。
【図２】本発明の一実施の形態による立体画像の作製工程を示す図であって、図１に続く工程を示す図である。
【図３】本発明の一実施の形態による立体画像の作製工程を示す図であって、図２に続く工程を示す図である。
【図４】本発明の一実施の形態による立体画像の作製工程を示す図であって、図３に続く工程を示す図である。
【図５】本発明の一実施の形態による立体画像の作製工程を示す図であって、図４に続く工程を示す図である。
【図６】本発明の一実施の形態による立体画像の作製工程を示す図であって、図５に続く工程を示す図である。
【図７】本発明の一実施の形態による立体画像の作製工程を示す図であって、図６に続く工程を示す図である。
【図８】本発明の一実施の形態による立体画像の作製工程を示す図であって、図７に続く工程を示す図である。
【図９】本発明の一実施の形態による立体画像の作製工程を示す図であって、図８に続く工程を示す図である。
【図１０】本発明の一実施の形態による立体画像の作製工程を示す図であって、図９に続く工程を示す図である。
【図１１】本発明の一実施の形態による立体画像の作製工程を示す図であって、図１０に続く工程を示す図である。
【図１２】本発明の一実施の形態による立体画像の作製工程を示す図であって、図１１に続く工程を示す図である。
【図１３】本発明の一実施の形態による立体画像の作製工程を示す図であって、図１２に続く工程を示す図である。
【発明を実施するための形態】
【００１０】
以下、本発明の実施の形態を図面に基づいて説明する。
【００１１】
図１は、本発明の一実施の形態による立体画像の作製工程を示す図である。
【００１２】
また図２は、本発明の一実施の形態による立体画像の作製工程を示す図であって、図１に続く工程を示す図である。
【００１３】
まず、図１および図２に示すように、台板１０１を用意し、その表面に接着剤１０２を塗り、これによって台板１０１に第一のシート１０３を貼り付ける。
【００１４】
台板１０１としては、厚紙、段ボールなどの紙板のほか、木板、コルク板、樹脂板や鉄板などの紙以外のものを用いることもできる。
【００１５】
接着剤１０２としては、台板１０１と第一のシート１０３との接着に適した特殊接着剤を用いるのがよい。
【００１６】
第一のシート１０３は、立体化する画像（写真や絵画など）が表面に印刷されたものであり、裏面を台板１０１に貼り付ける。ここでは、立体化する画像の例として犬の写真を用いている。この第一のシート１０３への印刷は、白黒（黒以外の単色も含む）でもカラー（複数色）でもよく、またおおよその輪郭だけでもよく、その画像の形状が認識可能であればよい。
【００１７】
この第一のシート１０３としては、例えば紙、布、樹脂、合成樹脂などを用いることができる。また、第一のシート１０３を用いずに、台板１０１の表面に立体化する画像を直接に印刷してもよい。
【００１８】
図３は、本発明の一実施の形態による立体画像の作製工程を示す図であって、図２に続く工程を示す図である。
【００１９】
また図４は、本発明の一実施の形態による立体画像の作製工程を示す図であって、図３に続く工程を示す図である。
【００２０】
また図５は、本発明の一実施の形態による立体画像の作製工程を示す図であって、図４に続く工程を示す図である。
【００２１】
続いて、第一のシート１０３の表面に印刷された画像を参照し、第一のシート１０３上の、立体画像において突出させたい箇所（例えば犬の体）に粘土１０５を盛り付けるわけだが、盛り付けた粘土１０５が第一のシート１０３から落ちないように、第一のシート１０３と粘土１０５とを接着する接着剤１０４を予め第一のシート１０３上に塗布する。このとき、接着剤１０４を塗布する位置は、粘土１０５を盛る位置であり、その位置にまんべんなく接着剤１０４を塗るようにする（例えば不図示のヘラなどでのばす）のがよい（図３参照）。
【００２２】
接着剤１０４としては、第一のシート１０３と粘土１０５との接着に適した特殊接着剤を用いるのがよい。
【００２３】
接着剤１０４を塗ったならば、その上に、粘土１０５を貼って盛り付ける（図４参照）。
【００２４】
粘土１０５としては、乾燥により乾いて固まるもののように、経時により硬化するものを用いるのがよい。
【００２５】
本実施例によれば、第一のシート１０３の表面に印刷された画像を参照し、突出させたい箇所が印刷されている部分の上に接着剤１０４を塗り、さらにその上に粘土１０５を盛ればよいので、立体化させたい箇所を確実に立体化せせることができ、美的に優れた立体画像を提供することができる。
【００２６】
第一のシート１０３上に盛った粘土１０５は、例えば２ｍｍ〜１５ｍｍ程度の厚みになるように、また画像に応じた形状になるように、指やヘラなどで成形する。成形後、粘土１０５の表面がある程度固まるまで（例えば２０〜３０分程度）待つ（図５参照）。
【００２７】
図６は、本発明の一実施の形態による立体画像の作製工程を示す図であって、図５に続く工程を示す図である。
【００２８】
また図７は、本発明の一実施の形態による立体画像の作製工程を示す図であって、図６に続く工程を示す図である。
【００２９】
盛り付けた粘土１０５の表面がある程度固まったならば、図６に示すように、粘土１０５の表面および、粘土１０５が盛り付けられずに露出している第一のシート１０３の表面に、接着剤１０６を塗る。このとき、指やヘラ１０７を用いて、接着剤１０６をくまなく塗るのが望ましい。続いて、この上から第二のシート１０８を貼り付ける（図７参照）。このとき、第一のシート１０３に印刷された画像と第二のシート１０８に印刷された画像とが合う位置で貼り付ける。また、このとき、第二のシート１０８と、粘土１０５および第一のシート１０３との間に隙間ができて空気が入り込まないように、中央から端に向けて空気を押し出すように指と不図示のヘラを用いるなどして丁寧に貼り合わせるのが望ましい。
【００３０】
第二のシート１０８は、第一のシート１０３に印刷された画像と同じ画像である、立体化する画像（写真や絵画など）が表面に印刷されたものであり、裏面を第一のシート１０３および盛り付けた粘土１０５に貼り付ける。ここでは、立体化する画像の例として犬の写真を用いている。この第二のシート１０８への印刷は、完成した立体画像の表面に出るので、その好みに応じて白黒（黒以外の単色も含む）を用いたりカラー（複数色）を用いたりすることができる。
【００３１】
この第二のシート１０８としては、例えば紙、布、樹脂、合成樹脂などを用いることができるが、粘土１０５による凹凸になじむ素材を用いることが望ましい。また、第二のシート１０８は、粘土１０５の凹凸に密着して平面面積が減少するので、まったくの平面である第一のシート１０３と比べて、多少大きめのシートであることが望ましく、画像も多少大きめに印刷することが望ましい。また、第二のシート１０８は、粘土１０５の凹凸に隙間なくなじむように伸縮性を有することが望ましい。
【００３２】
図８は、本発明の一実施の形態による立体画像の作製工程を示す図であって、図７に続く工程を示す図である。
【００３３】
図９は、本発明の一実施の形態による立体画像の作製工程を示す図であって、図８に続く工程を示す図である。
【００３４】
第二のシート１０８を貼り付けたならば、その上から透明シート１０９を被せ、例えばクリップ１１０によって透明シート１０９を固定し、第二のシート１０８の表面の印刷画像を保護する（図８参照）。
【００３５】
透明シート１０９としては、ビニールシートを用いることができるが、このほか、第二のシート１０８の表面の印刷画像が視認可能であって、第二のシート１０８の表面を保護可能であれば如何なる材質のものであってもかまわない。
【００３６】
続いて、透明シート１０９の上から指とヘラ１１１を用いるなどして、第二のシート１０８の表面の印刷画像に応じ（例えば輪郭や陰影は低くなるように）、粘土１０５を押し込み、立体形状を形成する。
【００３７】
図１０は、本発明の一実施の形態による立体画像の作製工程を示す図であって、図９に続く工程を示す図である。
【００３８】
図１１は、本発明の一実施の形態による立体画像の作製工程を示す図であって、図１０に続く工程を示す図である。
【００３９】
次に、透明シート１０９を取り外し、第二のシート１０８と第一のシート１０３との間から外部にはみ出した粘土１０５を、例えばヘラ１１２によって取り除き（図１０参照）、再度、粘土１０５がさらに固まるまで（例えば２０〜３０分程度）待つ（図１１参照）。
【００４０】
図１２は、本発明の一実施の形態による立体画像の作製工程を示す図であって、図１１に続く工程を示す図である。
【００４１】
図１３は、本発明の一実施の形態による立体画像の作製工程を示す図であって、図１０に続く工程を示す図である。
【００４２】
その後、第二のシート１０８の表面の印刷画像に応じた細かい凹凸の形成を、例えばヘラ１１１で押すことによって行い、仕上げを行う（図１２参照）。この工程は、第二のシート１０８の表面に透明シート１０９を被せた状態で行ってもよい。
【００４３】
仕上げが完了したならば、粘土１０５がほぼ完全に固まるまで（例えば１晩）待ち、例えば額縁１１３に入れて完成する（図１３参照）。
【００４４】
なお、本発明において、第一のシート１０３や第二のシート１０８に画像を印刷とあるのは、印刷に限られるものでなく、如何なる描画手段を用いて第一のシート１０３や第二のシート１０８に画像を描画するものであってもよい。
【００４５】
以上、本発明を説明したが、本発明は、この説明に限定されるものではなく、本発明の趣旨を逸脱しない範囲で数々の変形および組み合わせが出来ることは勿論である。
【符号の説明】
【００４６】
１００  立体画像
１０１  台板
１０２  接着剤
１０３  第一のシート
１０４  接着剤
１０５  粘土
１０６  接着剤
１０７  ヘラ
１０８  第二のシート
１０９  透明シート
１１０  クリップ
１１１  ヘラ
１１２  ヘラ
１１３  額縁
【図１】
2013226768.tif 000003
【図２】
2013226768.tif 000004
【図３】
2013226768.tif 000005
【図４】
2013226768.tif 000006
【図５】
2013226768.tif 000007
【図６】
2013226768.tif 000008
【図７】
2013226768.tif 000009
【図８】
2013226768.tif 000010
【図９】
2013226768.tif 000011
【図１０】
2013226768.tif 000012
【図１１】
2013226768.tif 000013
【図１２】
2013226768.tif 000014
【図１３】
2013226768.tif 000015